(57)【特許請求の範囲】
【請求項１】
ＧＭＰＬＳネットワークを構成するネットワーク伝送装置間に確立したリンクを介してＧＭＰＬＳ制御メッセージを転送するための制御メッセージ転送方法において、
前記ネットワーク伝送装置間のリンクに形成された所定帯域の伝送パス内にＧＭＰＬＳ制御メッセージを伝送するためのコントロールチャネルを形成し、
前記コントロールチャネルのトラフィック量をモニタして、前記コントロールチャネルの帯域が前記伝送パス帯域の所定割合に収まるように、前記コントロールチャネルが形成された前記伝送パスの帯域を可変する
ことを特徴とする制御メッセージ転送方法。
【請求項２】
請求項１に記載の制御メッセージ転送方式において、
前記所定割合として、第1の割合および前記第1の割合より小さい第2の割合の2通りを予め設定し、
前記コントロールチャネルのトラフィック量が増加して前記第１の割合を超えた場合に、前記コントロールチャネルが形成された前記伝送パスを追加することで前記伝送パスの帯域を増加させ、
前記コントロールチャネルのトラフィック量が減少して前記第２の割合を下回った場合に、前記コントロールチャネルが形成された前記伝送パスを削減することで前記伝送パスの帯域を減少させる
ことを特徴とする制御メッセージ転送方法。
【請求項３】
請求項１または２に記載の制御メッセージ転送方法において、
前記コントロールチャネルのトラフィック量のモニタを所定時間間隔で行う
ことを特徴とする制御メッセージ転送方法。
【請求項４】
請求項１から３のいずれか一項に記載の制御メッセージ転送方法において、
ＧＭＰＬＳネットワークを構成するネットワーク伝送装置間にリンクが確立した時点で前記コントロールチャネルが形成されていない場合は、新たにコントロールチャネルを形成し、
ＧＭＰＬＳネットワークを構成するネットワーク伝送装置間にリンクが確立した時点で前記コントロールチャネルが既に形成されている場合は、新たにコントロールチャネルを形成しない
ことを特徴とする制御メッセージ転送方法。
【請求項５】
ＧＭＰＬＳネットワークを構成するネットワーク伝送装置において、
複数のＳＯＮＥＴ／ＳＤＨインターフェースと、
前記複数のＳＯＮＥＴ／ＳＤＨインターフェースを介して隣接するネットワーク伝送装置間でリンクを確立するリンク確立部と、
前記複数のＳＯＮＥＴ／ＳＤＨインターフェースを選択的に接続するクロスコネクト部と、
ＧＭＰＬＳ制御メッセージを処理するＧＭＰＬＳプロトコル処理部と、
ＧＭＰＬＳ制御メッセージを伝送するためのコントロールチャネルを、前記ネットワーク伝送装置間のリンクに形成された所定帯域の伝送パス内に形成するコントロールチャネル形成部と、
前記クロスコネクト部で処理される前記コントロールチャネルのトラフィック量をモニタするトラフィックモニタ部と、
前記トラフィックモニタ部がモニタするトラフィック量に応じて、前記コントロールチャネルの帯域が、前記コントロールチャネルが形成された前記伝送パス帯域の所定割合に収まっているか否かを判断するコントロールチャネル管理部と、  
前記コントロールチャネル管理部が指示するコントロールチャネル帯域になるように前記コントロールチャネルが形成された前記伝送パス設定を制御する制御部と
を有することを特徴とするネットワーク伝送装置。
【請求項６】
請求項５に記載の制御メッセージ転送方式において、
前記所定割合として、第1の割合および前記第1の割合より小さい第2の割合の2通りを予め設定し、
前記コントロールチャネルのトラフィック量が増加して前記第1の割合を超えた場合に、前記制御部において、前記コントロールチャネルが形成された前記伝送パスの追加を行い、
前記コントロールチャネルのトラフィック量が減少して前記第2の割合を下回った場合に、前記制御部において、前記コントロールチャネルが形成された前記伝送パスの削減を行う
ことを特徴とするネットワーク伝送装置。
【請求項７】
請求項５または６に記載のネットワーク伝送装置において、
トラフィックモニタ部は、前記コントロールチャネルのトラフィック量のモニタを所定時間間隔で行う
ことを特徴とするネットワーク伝送装置。
【請求項８】
請求項５から７のいずれか一項に記載のネットワーク伝送装置において、
前記コントロールチャネル形成部は、ネットワーク伝送装置間にリンクが確立した時点で、前記コントロールチャネルが形成されていない場合は新たにコントロールチャネルを形成し、前記コントロールチャネルが既に形成されている場合は新たにコントロールチャネルを形成しない
ことを特徴とするネットワーク伝送装置。
【発明の詳細な説明】
【技術分野】
【０００１】
本発明は、ＧＭＰＬＳネットワークにおいてＧＭＰＬＳ制御メッセージを転送するための制御メッセージ転送技術およびこれを用いたネットワーク伝送装置に関する。
【背景技術】
【０００２】
近年、情報伝送の高速化と光ネットワークの発展に伴い、ＧＭＰＬＳ（Ｇｅｎｅｒａｌｉｚｅｄ  ＭＰＬＳ）ネットワークが普及してきた。ＧＭＰＬＳネットワークは、時分割多重（ＴＤＭ）や波長多重（ＷＤＭ）などの光伝送ネットワークを用いてネットワーク伝送装置間でエンドツーエンドの通信インフラを提供する。図７に従来のＧＭＰＬＳネットワークの構成を示す。図７において、ノードＡ，ノードＢ，ノードＣなどのネットワーク伝送装置は、互いに光リンクで接続されて伝送パスを形成し、Ｄ−Ｐｌａｎｅ（データプレーン）を構築する。一方、Ｄ−Ｐｌａｎｅのネットワーク伝送装置間では、ネットワーク情報の取得やパス制御などを行うＧＭＰＬＳ制御メッセージを伝送する必要があり、ＤＣＮ（Ｄａｔａ  Ｃｏｍｍｕｎｉｃａｔｉｏｎ  Ｎｅｔｗｏｒｋ：データ通信ネットワーク）などＧＭＰＬＳネットワークとは異なる別のネットワークでＣ−Ｐｌａｎｅ（制御プレーン）を構成していた（例えば、特許文献１参照）。 
【特許文献１】特開２００４−０１５５１３号公報
【発明の開示】
【発明が解決しようとする課題】
【０００３】
上記のように、従来のＧＭＰＬＳネットワークは、Ｄ−Ｐｌａｎｅ用の光伝送ネットワークとは別に、ＩＰルータやイーサスイッチを用いたデータ通信ネットワークをＣ−Ｐｌａｎｅ用に構築する必要がある。この結果、Ｃ−Ｐｌａｎｅ用のネットワークの設計や、設計したネットワークに基づいてＩＰルータやイーサスイッチなどを配置したり、これらの装置の設定など保守管理作業が必要になる。特に、Ｃ−Ｐｌａｎｅ用のネットワークは、Ｄ−Ｐｌａｎｅ用のＧＭＰＬＳネットワークとは異なるネットワークであるため、通信事業者はＣ−Ｐｌａｎｅ用とＤ−Ｐｌａｎｅ用の２つのネットワークを別々に管理しなければならないという問題があった。
【０００４】
上記課題に鑑み、本発明の目的は、Ｃ−Ｐｌａｎｅ用に別のネットワークを構築することなく、ＧＭＰＬＳ制御メッセージを伝送するためのＣ−Ｐｌａｎｅの構築や管理を容易にできるネットワーク伝送装置および制御メッセージ転送方法を提供することである。
【課題を解決するための手段】
【０００５】
本発明に係る制御メッセージ転送方法は、ＧＭＰＬＳネットワークを構成するネットワーク伝送装置間に確立したリンクを介してＧＭＰＬＳ制御メッセージを転送するための制御メッセージ転送方法において、前記ネットワーク伝送装置間のリンクに形成された所定帯域の伝送パス内にＧＭＰＬＳ制御メッセージを伝送するためのコントロールチャネルを形成し、前記コントロールチャネルのトラフィック量をモニタして、前記コントロールチャネルの帯域が前記伝送パス帯域の所定割合に収まるように、前記コントロールチャネルが形成された前記伝送パスの帯域を可変することを特徴とする。
【０００６】
これにより、Ｃ−Ｐｌａｎｅ用に別のネットワークを構築することなく、ＧＭＰＬＳネットワークのネットワーク伝送装置間に形成された伝送パス内にＧＭＰＬＳ制御メッセージを伝送するためのコントロールチャネルを形成してＣ−Ｐｌａｎｅを実現し、ネットワーク伝送装置間のネットワーク情報の取得やパス制御などを行うことができる。特に、コントロールチャネルのトラフィック量をモニタして、コントロールチャネル帯域がネットワーク伝送装置間に確立されたコントロールチャネルが形成された伝送パス帯域に対して所定割合になるように制御するので、常にコントロールチャネルが形成された伝送パス帯域の所定割合内にコントロールチャネル帯域を抑えることができる。
【０００７】
また、より好ましくは、前記コントロールチャネルのトラフィック量のモニタを所定時間間隔で行うことを特徴とする。
【０００８】
これにより、コントロールチャネルのトラフィック量が変化した場合でも、コントロールチャネル帯域がネットワーク伝送装置間に確立された伝送パス帯域に対して所定割合になるように適切に制御することができる。
【０００９】
また、より好ましくは、ＧＭＰＬＳネットワークを構成するネットワーク伝送装置間にリンクが確立した時点で前記コントロールチャネルが形成されていない場合は、新たにコントロールチャネルを形成し、ＧＭＰＬＳネットワークを構成するネットワーク伝送装置間にリンクが確立した時点で前記コントロールチャネルが既に形成されている場合は、新たにコントロールチャネルを形成しないことを特徴とする。
【００１０】
これにより、同じネットワーク伝送装置間に複数のリンクが確立された場合でも、１つのコントロールチャネルに統一してネットワーク伝送装置を制御することができる。
【００１１】
本発明に係るネットワーク伝送装置は、ＧＭＰＬＳネットワークを構成するネットワーク伝送装置において、複数のＳＯＮＥＴ／ＳＤＨインターフェースと、前記複数のＳＯＮＥＴ／ＳＤＨインターフェースを介して隣接するネットワーク伝送装置間でリンクを確立するリンク確立部と、前記複数のＳＯＮＥＴ／ＳＤＨインターフェースを選択的に接続するクロスコネクト部と、ＧＭＰＬＳ制御メッセージを処理するＧＭＰＬＳプロトコル処理部と、ＧＭＰＬＳ制御メッセージを伝送するためのコントロールチャネルを、前記ネットワーク伝送装置間のリンクに形成された所定帯域の伝送パス内に形成するコントロールチャネル形成部と、前記クロスコネクト部で処理される前記コントロールチャネルのトラフィック量をモニタするトラフィックモニタ部と、前記トラフィックモニタ部がモニタするトラフィック量に応じて、
前記コントロールチャネルの帯域が、前記コントロールチャネルが形成された前記伝送パス帯域の所定割合に収まっているかどうかを判断するコントロールチャネル管理部と、前記コントロールチャネル管理部が指示するコントロールチャネル帯域になるように前記コントロールチャネルが形成された前記伝送パス設定を制御する制御部とを有することを特徴とする。
【００１２】
これにより、Ｃ−Ｐｌａｎｅ用に別のネットワークを構築することなく、ＧＭＰＬＳネットワークのネットワーク伝送装置間に形成された伝送パス内にＧＭＰＬＳ制御メッセージを伝送するためのコントロールチャネルを形成してＣ−Ｐｌａｎｅを実現し、ネットワーク伝送装置間のネットワーク情報の取得やパス制御などを行うことができる。特に、トラフィックモニタ部でコントロールチャネルのトラフィック量をモニタして、コントロールチャネル帯域がネットワーク伝送装置間に確立されたコントロールチャネルが形成された伝送パス帯域に対して所定割合になるようにコントロールチャネル管理部および制御部によって制御されるので、常にコントロールチャネルが形成された伝送パス帯域の所定割合内にコントロールチャネル帯域を抑えることができる。
【００１３】
また、より好ましくは、トラフィックモニタ部は、前記コントロールチャネルのトラフィック量のモニタを所定時間間隔で行うことを特徴とする。
【００１４】
これにより、コントロールチャネルのトラフィック量が変化した場合でも、コントロールチャネル管理部および制御部は、コントロールチャネル帯域がネットワーク伝送装置間に確立された伝送パス帯域に対して所定割合になるように適切に制御することができる。
【００１５】
また、より好ましくは、前記コントロールチャネル形成部は、ネットワーク伝送装置間にリンクが確立した時点で、前記コントロールチャネルが形成されていない場合は新たにコントロールチャネルを形成し、前記コントロールチャネルが既に形成されている場合は新たにコントロールチャネルを形成しないことを特徴とする。
【００１６】
これにより、同じネットワーク伝送装置間に複数のリンクが確立された場合でも、コントロールチャネル管理部は、１つのコントロールチャネルに統一してネットワーク伝送装置を制御することができる。
【発明の効果】
【００１７】
本発明によれば、Ｃ−Ｐｌａｎｅ用に別のネットワークを構築することなく、ＧＭＰＬＳ制御メッセージを伝送するためのコントロールチャネルをネットワーク伝送装置間に形成された伝送パス内に形成するので、Ｃ−Ｐｌａｎｅの構築や管理を容易に行うことできる。また、コントロールチャネルのトラフィック量に応じて、コントロールチャネル帯域が伝送パス帯域の所定割合になるように、コントロールチャネルが形成された前記伝送パスの帯域を可変するので、常に伝送パス帯域の所定割合内にコントロールチャネル帯域を抑えることができる。
【発明を実施するための最良の形態】
【００１８】
以下、図面を参照して本発明に係るＧＭＰＬＳネットワークに用いるネットワーク伝送装置および制御メッセージ転送方法の実施形態について説明する。
（第１の実施形態）
図１に、本実施形態に係るネットワーク伝送装置を用いたＧＭＰＬＳネットワークの構成例を示す。尚、図１は、従来技術の図７に対応する。
【００１９】
図１において、ノードＡ，ノードＢおよびノードＣなどのネットワーク伝送装置が互いに光リンクで接続されている。各ノード間に張られた光リンクには、クライアント信号用の伝送パスが形成されてＤ−Ｐｌａｎｅを提供すると共に、同じ光リンク内にはＧＭＰＬＳ制御メッセージを伝送するためのコントロールチャネル用の伝送パスが形成されてＣ−Ｐｌａｎｅを提供する。
【００２０】
このように、図７に示した従来のＧＭＰＬＳネットワークでは、ＧＭＰＬＳ制御メッセージを伝送するためのＤＣＮ（データ通信ネットワーク）が別に必要であったが、本実施形態におけるＧＭＰＬＳネットワークでは、図１に示すようにＤＣＮは不要である。尚、ＧＭＰＬＳネットワークは、ラベルを付加してクライアントデータを伝送するネットワークで、各ノードはＬＳＲ（Ｌａｂｅｌ  Ｓｗｉｔｃｈ  Ｒｏｕｔｅｒ）やＬＥＲ（Ｌａｂｅｌ  Ｅｄｇｅ  Ｒｏｕｔｅｒ）などのネットワーク伝送装置を構成する。
【００２１】
また、ＧＭＰＬＳ制御メッセージは、ラベルを判別して伝送フレームをフォワーディングするための経路指定や伝送パスの帯域幅の予約を行うためのＲＳＶＰ−ＴＥ（Ｒｅｓｏｕｒｃｅ  Ｒｅｓｅｒｖａｔｉｏｎ  Ｐｒｏｔｏｃｏｌ  −  Ｔｒａｆｆｉｃ  Ｅｎｇｉｎｅｅｒｉｎｇ）や、最短経路を求めるためのＯＳＰＦ−ＴＥ（Ｏｐｅｎ  Ｓｈｏｒｔｅｓｔ  Ｐａｔｈ  Ｆｉｒｓｔ−  Ｔｒａｆｆｉｃ  Ｅｎｇｉｎｅｅｒｉｎｇ）や、ＧＭＰＬＳ制御メッセージを伝送するコントロールチャネルやリンク管理・障害管理などを行うＬＭＰ（Ｌｉｎｋ  Ｍａｎａｇｅｍｅｎｔ  Ｐｒｏｔｏｃｏｌ）などの制御プロトコルを扱う。
【００２２】
次に、図２を用いて、ノードＡ，ノードＢおよびノードＣのネットワーク伝送装置間の伝送パスについて詳しく説明する。図２において、各ノード間には、双方向の光リンクが張られている。例えば、ノードＡとノードＢの間には光リンク１０１ａと光リンク１０１ｂとが張られ、ノードＢとノードＣの間には光リンク１０２ａと光リンク１０２ｂとが張られている。また、ノードＢには、光リンク１０３，１０４を介して、クライアント側のネットワークに接続するゲートウェイなどのクライアント装置Ａおよびクライアント装置Ｂが接続されている。例えば、ノードＢでラベルを除去（ｐｏｐ）されたクライアントデータはクライアント装置Ａまたはクライアント装置Ｂに出力され、クライアント装置Ａまたはクライアント装置Ｂから入力されるクライアントデータはノードＢでラベルを付加（ｐｕｓｈ）されて、宛先に向けてノードＡやノードＣにフォワーディングされる。
【００２３】
例えば、図２の吹き出し枠内に示したように、光リンク１０１ａは、ＳＤＨ（Ｓｙｎｃｈｒｏｎｏｕｓ  Ｄｉｇｉｔａｌ  Ｈｉｅｒａｒｃｈｙ）のフレーム種別ＳＴＭ−ｘｘ（Ｓｙｎｃｈｒｏｎｏｕｓ  Ｔｒａｎｓｐｏｒｔ  Ｍｏｄｕｌｅ  −ｘｘ）や、ＳＯＮＥＴ（Ｓｙｎｃｈｒｏｎｏｕｓ  Ｏｐｔｉｃａｌ  ＮＥＴｗｏｒｋ）のフレーム種別ＯＣ−ｙｙ（ｏｐｔｉｃａｌ  ｃｏｕｐｌｅｒ  −ｙｙ）などで構成される。光リンク１０１ａには複数の伝送パスが形成され、本実施形態ではクライアント信号用の伝送パス１５２から１５５以外にＧＭＰＬＳ制御メッセージを伝送するためのコントロールチャネル用伝送パス１５１が形成される。
【００２４】
ここで、各伝送パスは、仮想コンテナＶＣ（Ｖｉｒｔｕａｌ  Ｃｏｎｔａｉｎｅｒ）によって形成され、ラベルが付加されて宛先に伝送される。この一例を図３に示す。図３（ａ）はＶＣの構成を示した図で、ペイロード部分にクライアント信号や制御メッセージが載せられ、ＰＯＨ（Ｐａｔｈ  Ｏｖｅｒ  Ｈｅａｄ）には宛先ラベルなどが記載される。例えば、図３（ａ）において、ＶＣ３の伝送パスの場合はフレームのペイロード部分が８４列で構成され、ＶＣ４の伝送パスの場合はフレームのペイロード部分が２６０列で構成される。また、仮想コンテナは連結することが可能で、例えばＶＣ３−４ｖの場合はＶＣ３の仮想コンテナを４つ仮想連結した伝送パスである。
【００２５】
このようにして形成された仮想コンテナは、ＳＤＨの光リンクの場合はＳＴＭ−ｘｘのフレームのペイロード部分に搭載されて伝送される。ＳＤＨの伝送フレーム例を図３（ｂ）に示す。図３（ｂ）において、ＲＳＯＨ（Ｒｅｇｅｎｅｒａｔｏｒ  Ｓｅｃｔｉｏｎ  Ｏｖｅｒ  Ｈｅａｄ），ＭＳＯＨ（Ｍｕｌｔｉｐｌｅｘ  Ｓｅｃｔｉｏｎ  Ｏｖｅｒ  Ｈｅａｄ）などはＳＤＨの制御に使用され、ＡＵＰ（Ａｄｍｉｎｉｓｔｒａｔｉｖｅ  Ｕｎｉｔ  Ｐｏｉｎｔｅｒｓ）はペイロード部分に複数の仮想コンテナを搭載する際の開始点を示すポインターである。
【００２６】
このようにして、図２のＧＭＰＬＳ制御メッセージを伝送するためのコントロールチャネル用伝送パス１５１や、クライアント信号用の伝送パス１５２から１５５は仮想コンテナで伝送され、仮想コンテナに付加されたラベルによって宛先に転送（フォワーディング）される。例えば、図２のコントロールチャネル用パスとしてＶＣ３−４ｖの伝送パスを形成したり、帯域の狭いＶＣ３−３ｖや帯域の広いＶＣ３−５ｖなどの伝送パスを形成する。
【００２７】
次に、ノードＡ，ノードＢおよびノードＣなどのネットワーク伝送装置の構成について詳しく説明する。図４はノードＢの構成を示すブロック図である。尚、ノードＡおよびノードＣについてもノードＢと同様に構成される。
【００２８】
図４において、ノードＢは、ＳＯＮＥＴ／ＳＤＨインターフェース（ＩＦ）２０１と、ＳＯＮＥＴ／ＳＤＨインターフェース（ＩＦ）２０２と、ＬＯ（低次回線）インターフェース（ＩＦ）２０３と、ＬＯ（低次回線）インターフェース（ＩＦ）２０４と、クロスコネクト部２０５と、制御部２０６と、ＧＭＰＬＳプロトコル処理部２０７と、トラフィックモニタ部２０８と、コントロールチャネル管理部２０９とで構成される。
【００２９】
図４において、ノードＡは光リンク１０１を介してノードＢのＳＯＮＥＴ／ＳＤＨＩＦ２０１で終端されてクロスコネクト部２０５に接続される。同様に、ノードＣは光リンク１０２を介してノードＢのＳＯＮＥＴ／ＳＤＨＩＦ２０２で終端されてクロスコネクト部２０５に接続される。また、クライアント装置Ａは低次の光リンク１０３を介してノードＢのＬＯＩＦ２０３で終端されてクロスコネクト部２０５に接続される。同様に、クライアント装置Ｂは低次の光リンク１０４を介してノードＢのＬＯＩＦ２０４で終端されてクロスコネクト部２０５に接続される。
【００３０】
クロスコネクト部２０５は、制御部２０６の指令に基づいて、ＧＭＰＬＳプロトコル処理部２０７から得られるラベルテーブルを参照し、ＳＯＮＥＴ／ＳＤＨＩＦ２０１，２０２およびＬＯＩＦ２０３，２０４から入出力される仮想コンテナのラベルに応じて、宛先別にスイッチされフォワーディングされる。
【００３１】
また、制御部２０６は、ＧＭＰＬＳ制御メッセージを伝送するためのコントロールチャネルの確立や帯域制御を行う。さらに、ＧＭＰＬＳプロトコル処理部２０７から得られるＲＳＶＰ−ＴＥやＯＳＰＦ−ＴＥなどの情報を用いて、経路の指定や帯域幅の予約を行ったり、最短経路制御を行う。
【００３２】
ＧＭＰＬＳプロトコル処理部２０７は、クロスコネクト部２０５を介して、ノードＡやノードＣなどとのネットワーク伝送装置間でＧＭＰＬＳ制御メッセージの送受信を行い、制御情報を制御部２０６に出力する。
【００３３】
トラフィックモニタ部２０８は、クロスコネクト部２０５で処理されるコントロールチャネルのトラフィック量をモニタする。つまり、コントロールチャネルで伝送される帯域を測定して、コントロールチャネル管理部２０９に出力する。
【００３４】
コントロールチャネル管理部２０９は、コントロールチャネル帯域がクライアント信号の伝送パスを含めないコントロールチャネルが形成された伝送パスの帯域の所定割合以上か未満かを判断し、判断結果を制御部２０６に出力する。これを受けた制御部２０６は、判断結果に応じてコントロールチャネルが形成された前記伝送パスの帯域を増減させる。次に、この伝送パスの帯域制御について具体的に説明する。
【００３５】
図５は、コントロールチャネルの構築処理を示すフローチャートである。尚、図５のフローチャートは、図４の制御部２０６を中心として処理される。
【００３６】
（ステップＳ１０１）コントロールチャネル（Ｃｏｎｔｒｏｌ  Ｃｈａｎｎｅｌ）の構築処理を開始する。
【００３７】
（ステップＳ１０２）対向するノード間に確立済みのリンクがあるか否かを判別する。確立済みのリンクがある場合はステップＳ１０３に進み、確立済みのリンクがない場合はステップＳ１０８に進んで処理を終了する。
【００３８】
（ステップＳ１０３）リンクが確立済みのノード間にコントロールチャネルが確立されているか否かを判別する。確立済みのコントロールチャネルがない場合はステップＳ１０４に進み、確立済みのコントロールチャネルがある場合はステップＳ１０８に進んで処理を終了する。
【００３９】
（ステップＳ１０４）リンクが確立しているノード間にコントロールチャネル用のＶＣパスを設定する。例えば、予め設定しておいたデフォルトのＶＣ３−１ｖのＶＣパスを設定する。
【００４０】
（ステップＳ１０５）トラフィックモニタ部２０８は、クロスコネクト部２０５で処理されるコントロールチャネルのトラフィック量をモニタしてコントロールチャネル帯域を測定する。例えば、コントロールチャネルのトラフィック量の平均値が１０Ｍｂｐｓであれば、コントロールチャネル帯域を１０Ｍとする。
【００４１】
（ステップＳ１０６）コントロールチャネル管理部２０９は、トラフィックモニタ部２０８が測定したコントロールチャネル帯域がコントロールチャネルが形成された伝送パスの帯域の所定割合（Ｘ％）より大きいか否かを判別する。コントロールチャネル帯域がコントロールチャネルが形成された伝送パスの帯域のＸ％より大きい場合はステップＳ１０７に進み、コントロールチャネル帯域がコントロールチャネルが形成された伝送パスの帯域のＸ％以下の場合はステップＳ１０８に進んで処理を終了する。例えば、所定割合Ｘが２０％に予め設定されているとすると、コントロールチャネルが形成された伝送パスの帯域が１５５Ｍの時、コントロールチャネル帯域が３１Ｍより大きくなった場合はステップＳ１０７に進み、コントロールチャネル帯域が３１Ｍ以下の場合はステップＳ１０８に進む。
【００４２】
（ステップＳ１０７）コントロールチャネル用のＶＣパスを追加する。例えば、予め設定しておいたデフォルトのＶＣパスがＶＣ３−４ｖの場合は、ＶＣ３−５ｖに増加する。
【００４３】
（ステップＳ１０８）コントロールチャネル（Ｃｏｎｔｒｏｌ  Ｃｈａｎｎｅｌ）の構築処理を終了する。尚、図５のフローチャートでは、分かり易いように、１回だけの構築処理について示したので、ステップＳ１０８でコントロールチャネルの構築処理を終了するが、実際には新たにノードが追加されたり、新たにリンクが確立された時に、図５のフローチャートに従った処理が実行される。
【００４４】
このように、ノードＡ，ノードＢおよびノードＣなどの本実施形態に係るネットワーク伝送装置は、制御メッセージ転送方法として、ＧＭＰＬＳ制御メッセージを伝送するＣ−Ｐｌａｎｅ用に別のネットワークを構築することなく、ネットワーク伝送装置間の伝送パス内にコントロールチャネルを形成してＧＭＰＬＳ制御メッセージを伝送するので、Ｃ−Ｐｌａｎｅの構築や管理を容易に行うことできる。また、コントロールチャネルのトラフィック量に応じて、コントロールチャネル帯域が伝送パス帯域の所定割合になるように、コントロールチャネルが形成された伝送パスの帯域を可変するので、常に伝送パス帯域の所定割合内にコントロールチャネル帯域を抑えることができ、クライアント信号の伝送パス帯域に掛かる負荷を少なくすることができる。
【００４５】
（第２の実施形態）
次に、第２の実施形態に係るネットワーク伝送装置および制御メッセージ転送方法について説明する。尚、第２の実施形態に係るネットワーク伝送装置を用いたＧＭＰＬＳネットワークの構成およびネットワーク伝送装置（ノードＡ，ノードＢおよびノードＣ）の構成などは、第１の実施形態の図１から図５と同じなので重複する説明は省略する。
【００４６】
第１の実施形態では新たにリンクが確立してコントロールチャネルを構築する際の処理を主体に説明したが、第２の実施形態では第１の実施形態でコントロールチャネルを構築後に、予め設定された所定時間間隔毎にコントロールチャネル帯域を監視する処理が主体である。
【００４７】
図６は、コントロールチャネルの監視処理を示すフローチャートである。尚、図６のフローチャートは、図５のフローチャートと同様に、図４の制御部２０６を中心として処理される。
【００４８】
（ステップＳ２０１）コントロールチャネル（Ｃｏｎｔｒｏｌ  Ｃｈａｎｎｅｌ）の監視処理を開始する。
【００４９】
（ステップＳ２０２）前回のコントロールチャネル帯域の監視処理から予め設定された所定時間（Ｙ時間）が経過したか否かを判別する。前回のコントロールチャネル帯域の監視処理からＹ時間が経過した場合はステップＳ２０３に進み、前回のコントロールチャネル帯域の監視処理からＹ時間が経過していない場合はステップＳ２０８に進んで処理を終了する。例えば、１０分毎にコントロールチャネル帯域の監視処理を行うように予め設定されている場合は、１０分が経過した時のみコントロールチャネルが形成された伝送パスの帯域を可変する処理を行い、１０分が経過していない時はコントロールチャネルの帯域制御は行わない。
【００５０】
（ステップＳ２０３）トラフィックモニタ部２０８は、クロスコネクト部２０５で処理されるコントロールチャネルのトラフィック量をモニタしてコントロールチャネル帯域を測定する。この処理は、図５のフローチャートのステップＳ１０５の処理と同じである。
【００５１】
（ステップＳ２０４）コントロールチャネル管理部２０９は、トラフィックモニタ部２０８が測定したコントロールチャネル帯域がコントロールチャネルが形成された伝送パスの帯域の所定割合（Ｘ％）より大きいか否かを判別する。コントロールチャネル帯域がコントロールチャネルが形成された伝送パスの帯域のＸ％より大きい場合はステップＳ２０６に進み、コントロールチャネル帯域がコントロールチャネルが形成された伝送パスの帯域のＸ％以下の場合はステップＳ２０５に進む。この処理は、図５のフローチャートのステップＳ１０６の処理と同じである。
【００５２】
（ステップＳ２０５）コントロールチャネル管理部２０９は、トラフィックモニタ部２０８が測定したコントロールチャネル帯域がコントロールチャネルが形成された伝送パスの帯域の所定割合（Ｚ％）より小さいか否かを判別する。コントロールチャネル帯域がコントロールチャネルが形成された伝送パスの帯域のＺ％より小さい場合はステップＳ２０７に進み、コントロールチャネル帯域がコントロールチャネルが形成された伝送パスの帯域のＺ％以上の場合はステップＳ２０８に進んで処理を終了する。例えば、所定割合Ｚが３０％に予め設定されているとすると、コントロールチャネルが形成された伝送パスの帯域が１５５Ｍの時、コントロールチャネル帯域が４６．５Ｍより小さくなった場合はステップＳ２０７に進み、コントロールチャネル帯域が４６．５Ｍ以上の場合はステップＳ２０８に進む。
【００５３】
（ステップＳ２０６）コントロールチャネル用のＶＣパスを追加する。例えば、予め設定しておいたデフォルトのＶＣパスがＶＣ３−４ｖの場合は、ＶＣ３−５ｖに増加する。
【００５４】
（ステップＳ２０７）コントロールチャネル用のＶＣパスを削減する。例えば、予め設定しておいたデフォルトのＶＣパスがＶＣ３−４ｖの場合は、ＶＣ３−３ｖに削減する。
【００５５】
（ステップＳ２０８）コントロールチャネルの監視処理を終了する。尚、図６のフローチャートでは、分かり易いように、１回だけの監視処理について示したので、ステップＳ２０８でコントロールチャネルの監視処理を終了するが、実際には常に本監視処理は実行され、ステップＳ２０２で予め設定された所定時間（Ｙ時間）が経過したか否かを判別する処理を行う。
【００５６】
このように、ノードＡ，ノードＢおよびノードＣなどの本実施形態に係るネットワーク伝送装置は、第１の実施形態と同様に、制御メッセージ転送方法として、ＧＭＰＬＳ制御メッセージを伝送するＣ−Ｐｌａｎｅ用に別のネットワークを構築することなく、ネットワーク伝送装置間の伝送パス内にコントロールチャネルを形成してＧＭＰＬＳ制御メッセージを伝送するので、Ｃ−Ｐｌａｎｅの構築や管理を容易に行うことできる。
【００５７】
また、コントロールチャネルのトラフィック量に応じて、コントロールチャネル帯域が伝送パス帯域の所定割合になるように、コントロールチャネルが形成された伝送パスの帯域を可変するので、常に伝送パス帯域の所定割合内にコントロールチャネル帯域を抑えることができ、クライアント信号の伝送パス帯域に掛かる負荷を少なくすることができる。
【００５８】
さらに、本実施形態では、コントロールチャネル帯域の増減に応じて、コントロールチャネル用のＶＣパスの帯域を増減でき、特に、下限帯域（Ｘ％）と上限帯域（Ｚ％）とを設定できるようになっている。このヒステリシス効果により、コントロールチャネル帯域の変動が小さい場合は、コントロールチャネルのＶＣパスの変更を行わないので、安定したコントロールチャネルのパス帯域を得ることができ、ネットワーク伝送装置の処理負荷も減らすことができる。
【００５９】
以上、各実施形態において説明してきたように、本発明に係るネットワーク伝送装置および制御メッセージ転送方法は、Ｃ−Ｐｌａｎｅ用に別のネットワークを構築することなく、ＧＭＰＬＳネットワークの制御メッセージを伝送するためのコントロールチャネルをネットワーク伝送装置間に形成された伝送パス内に形成するので、Ｃ−Ｐｌａｎｅの構築や管理を容易に行うことできる。
【図面の簡単な説明】
【００６０】
【図１】ＧＭＰＬＳネットワークの構成例を示すブロック図である。
【図２】各ノード間の光リンクと伝送パスの構成例を示すブロック図である。
【図３】ＶＣの構成例とＳＤＨフレームの構成例を示す説明図である。
【図４】ノードＢの構成例を示すブロック図である。
【図５】ノードＢのコントロールチャネル構築処理を示すフローチャートである。
【図６】ノードＢのコントロールチャネル監視処理を示すフローチャートである。
【図７】従来のＧＭＰＬＳネットワークの構成例を示すブロック図である。
【符号の説明】
【００６１】
２０１，２０２・・・ＳＯＮＥＴ／ＳＤＨ ＩＦ
２０３，２０４・・・ＬＯ ＩＦ
２０５・・・クロスコネクト部
２０６・・・制御部
２０７・・・ＧＭＰＬＳプロトコル処理部
２０８・・・トラフィックモニタ部
２０９・・・コントロールチャネル管理部
１０１ａ，１０１ｂ，１０２ａ，１０２ｂ・・・光リンク
１０３，１０４・・・光リンク
１５１・・・コントロールチャネル用伝送パス
１５２から１５５・・・クライアント信号用の伝送パス
【図１】
0004913775.tif 000002
【図２】
0004913775.tif 000003
【図３】
0004913775.tif 000004
【図４】
0004913775.tif 000005
【図５】
0004913775.tif 000006
【図６】
0004913775.tif 000007
【図７】
0004913775.tif 000008